(57)【要約】【課題】遊技機に対する不正行為を監視でき、且つ監視結果の証明のデータを生成し、閲覧に供し、遊技機の質の保証を行う。【解決手段】遊技機内に設けられたメインＣＰＵの信号と、遊技機内に設けられたセンサからの信号とに基づいて、その遊技機に不正行為がなされているかを判定し、第１の判定結果を出力する監視ユニットと、各遊技機に流れる微弱交流の電流値又は電圧値の少なくとも一方を測定し、これを予めその遊技機について測定して得られた固有電流値又は電圧値と比較して、その遊技機に不正行為がなされているかを判定し、第２の判定結果を出力する微弱交流印加／測定装置と、前記第１の判定結果及び第２の判定結果を遊技機の識別情報に関連付けて記憶する管理装置とを有する不正行為監視記録システム。【選択図】図１
2010284370.tif 000002
【特許請求の範囲】
【請求項１】
遊技機内に設けられたメインＣＰＵの信号と、遊技機内に設けられたセンサからの信号とに基づいて、その遊技機に不正行為がなされているかを判定し、第１の判定結果を出力する第１の監視手段と、
各遊技機に流れる一定時間の消費電力（ＶＡ）の値と、これを予めその遊技機について測定して得られた一定時間の消費電力（ＶＡ）の値を比較して、その遊技機に不正行為がなされているかを判定し、第２の判定結果を出力する第２の監視手段と、
前記第１の判定結果及び第２の判定結果を遊技機の識別情報に関連付けて記憶する記憶手段と
を有する不正行為監視記録システム。
【発明の詳細な説明】
【技術分野】
【０００１】
本発明は、遊技機の不正行為監視記録システムに関し、より詳しくは遊技機に対して不正な操作、不正な改造などの不正行為が行われたか否かを監視する不正行為監視記録システムに関する。
【背景技術】
【０００２】
近年、遊技者の興味を引きつけるため、次々と新しい遊技機が開発され、市場に投入されるようになってきた。遊技場経営者の中には、より新しい遊技機を導入して集客を高めんがため、購入した遊技機を売却して得た代金を新規遊技機の購入費用に充てたい場合もある。
【０００３】
一端、遊技場に購入された遊技機は、売却される前にメーカーの検査を受けるのが一般的である。不正な改造などがなされたものを流通させないためである。この検査には通常１，２ヶ月程度かかる。この検査期間のため、新規な遊技機も新鮮味が落ちてしまい、即時に売却できたと仮定した場合の価格より、低い価格でしか売れないという問題がある。
【０００４】
一般に、遊技機に対する不正行為・不正改造（不正な操作により、遊技球や遊技メダルを獲得する不正な改造を施したＲＯＭを遊技機に取り付けてしまう、など）を取り締まるための様々な技術が提案されている。
【０００５】
例えば、遊技機の製造番号、制御装置基板の基板番号、ＲＯＭの製造番号などをそれぞれバーコード化して貼付しておき、バーコード読み取り器を用いて読み取り、管理台帳と比較して確認することによって、１個の遊技機に組み込まれた主要な部品が変更されていないか否かをチェックするようにした遊技機の情報管理方法が提案されてる（例えば、特許文献１）。
【先行技術文献】
【特許文献】
【０００６】
【特許文献１】特開２０００−２４２６９号公開公報
【発明の概要】
【発明が解決しようとする課題】
【０００７】
しかし、上記の従来技術では、遊技機の不正行為に対する監視は可能であるが、遊技機に対する不正行為がなされていないことの証明を他者に対してすることは困難である。また、遊技場の営業時間内における監視は可能であるが、営業上の非営業時間（開店前、閉店後）における不正行為、或いは遊技機が輸送中である期間（トラックに乗せられ、工場などから遊技場、検査場に搬送されている期間）における不正行為の監視及び不正行為がなされていないことの証明は不可能である。
【０００８】
本発明は、営業時間及びそれ以外の時間であっても遊技機に対する不正行為を監視でき、且つ監視結果の証明をデータとして残すことの可能な不正行為監視システムを提供することにある。
【課題を解決するための手段】
【０００９】
上記課題を解決するための手段として、本発明は以下の特徴を有する。  
本発明は、遊技機内に設けられたメインＣＰＵの信号と、遊技機内に設けられたセンサからの信号とに基づいて、その遊技機に不正行為がなされているかを判定し、第１の判定結果（例えば、監視履歴情報）を出力する第１の監視手段（例えば、監視ユニット）と、各遊技機に流れる一定時間の電流値と電圧値を測定し、消費電力値（ＶＡ）を算出し、これを予めその遊技機について測定して得られた消費電力値（ＶＡ）と比較して、その遊技機に不正行為がなされているかを判定し、第２の判定結果（例えば、測定結果データ）を出力する第２の監視手段（例えば、微弱交流印加／測定装置）と、前記第１の判定結果及び第２の判定結果を遊技機の識別情報に関連付けて記憶する記憶手段（例えば、管理装置）とを有する不正行為監視記録システムであることを特徴としている。
【発明の効果】
【００１０】
本発明によれば、営業時間及びそれ以外の時間であっても遊技機に対する不正行為を監視でき、且つ監視結果の証明をデータを生成し、閲覧に供することが可能である。
【発明を実施するための最良の形態】
【００１１】
以下、図面を参照しながら本発明の実施の形態を説明する。
［１．不正行為監視記録システムの構成］
図１は、本発明の実施の形態である、不正行為監視記録システムの構成例を示すブロック図である。不正行為監視記録システム１は、管理装置１０と、管理装置１０に接続された微弱交流印加／測定装置２０と、各遊技機３０に接続されるとともに、管理装置１０と通信可能に接続された監視ユニット４０とで構成されている。
【００１２】
遊技機３０は、島と呼ばれる架台に複数台（例えば、一つの島につき４８台；図１では一部の遊技機３０の図示省略）配置されている。隣接する遊技機３０の間には、ビルバリとも呼ばれる貸し玉機、又は貸しメダル機（以下単に貸し玉機８０と呼ぶ）が配置されている。それぞれの遊技機３０には電源（商用電源；図１において図略）から電力供給線５０を介して電力が供給される。電力供給線５０には、微弱交流印加／測定装置２０が接続されている。微弱交流印加／測定装置２０は電力供給線５０を介して遊技機３０に測定用の微弱交流電流を供給する。
【００１３】
管理装置１０は微弱交流印加／測定装置２０からの測定結果データを受信可能となるように、通信ケーブル６０を介して微弱交流印加／測定装置２０に接続されている。また、管理装置１０は、各管理ユニット４０から送信される監視結果情報データを受信可能なように、各監視ユニット４０と通信ケーブル７０（例えば、ＬＡＮケーブル）により接続されている。
【００１４】
［１．１．遊技機内の構成例］
次に、本実施の形態における上記遊技機３０内の構成例について説明する。図２は、遊技機３０の本発明に関係する主要な部分を図示した機能ブロック図である。
【００１５】
遊技機３０には、遊技の抽選開始、抽選結果の決定、抽選結果に応じた賞球（メダル）の払い出しの実行等を行うメインＣＰＵ２０１が設けられている。メインＣＰＵ２０１は、各種入力信号（大当たり成立時に出力される信号、など）を出力する。
【００１６】
また、遊技機３０内には、扉開閉センサ２０３，ハーネスセンサ２０４などのセンサ類が設けられており、これらセンサ類は不正な行為が遊技機３０に加えられた場合に、検出信号を出力する。検出信号は台情報出力基板２０２に渡される。なお、図２では、センサ類の代表として扉開閉センサ２０３，ハーネスセンサ２０４のみ図示した。
【００１７】
台情報出力基板２０２は、メインＣＰＵ２０１が出力する各種信号を遊技機３０外部へ出力するための回路を備えた基板である。台情報出力基板２０２は、メインＣＰＵ２０１が出力した各種信号、及びセンサが出力した信号に基づいて、これら信号に応じた情報を監視ユニット４０に出力する。
【００１８】
本発明の第１の監視手段に相当する監視ユニット４０は、マイクロコンピュータ及びマイクロコンピュータを、遊技機３０に関する情報を管理装置１０に通知する装置である監視ユニットとして機能させるための、演算装置（ＣＰＵ）、周辺回路、周辺装置などで構成される装置である。監視ユニット４０は遊技機３０とは独立した装置であって、遊技機３０の外部に取り付けられる装置である。
【００１９】
監視ユニット４０の構成例を示す機能ブロック図を図３に掲げる。監視ユニット４０は、判定部３０１と、判定部３０１に接続された監視結果情報生成部３０２と、監視結果情報生成部３０２に接続された監視結果情報送信部３０３とで構成される。なお、本明細書中において、各機能や各処理に対応する「…部」、「…手段」等の仮想的回路ブロックを用いて実施の形態を説明している。また、「接続する」とは、情報若しくはデータの受け渡しが可能である状態を示しており、必ずしも物理的に接続されていることに限定されない。また、説明中に用いられる各部、各手段は、一対一に対応するハードウエア要素やソフトエウア要素によって構成される必要は必ずしもなく、複数のハードウエア要素やソフトエウア要素が協働して各部、各手段として機能する場合も本発明の技術的範囲内である。
【００２０】
判定部３０１は、メインＣＰＵ２０１からの各種入力信号を受け取り、この入力信号の発生状態に基づいて、不正行為が行われているか、あるいはそのような虞があるか否かの判定を行い、判定結果を出力する。なお、どのような入力信号に基づいて、どのような不正行為がなされているかを判定する処理の具体的内容については、後ほど説明する。また、各種入力信号の例を図４に掲げる。図４（Ａ）は、パチンコ機におけるメインＣＰＵの入力信号の例であり、図４（Ｂ）は、スロットマシンにおけるメインＣＰＵの入力信号の例である。
【００２１】
監視結果情報生成部３０２は、前記判定部３０１の判定結果に基づいて、監視履歴情報を生成する機能を有する。図５は、監視履歴情報のデータ構成例を示す図である。監視履歴情報５００は、遊技機識別情報５０１と、監視結果情報５０２と、監視結果情報生成日時５０３とで構成されるデータである。
【００２２】
遊技機識別情報５０１は、遊技機を一意に識別する情報であって、例えば遊技機のシリアルナンバーである。遊技機識別情報５０１は、ＱＲコードに変換され当該遊技機のいずれかにＱＲコードシールを貼っておきバーコードリーダによりそれを読み取って、当該遊技機３０の監視履歴を取得できるようにしてもよい。
【００２３】
監視結果情報５０２は、判定部３０１がメインＣＰＵ２０１の入力信号に基づいて判定した結果を示すデータであって、異常や不正の種類、及び異常なしを示す情報（エラーコード、不正行為コードなど）である。
監視結果情報生成日時５０３は、その監視履歴情報が生成された日時を示す情報である。
【００２４】
図３に戻り、監視ユニット２０２の説明を続ける。監視結果情報送信部３０３は、監視結果情報生成部２０２から受け取った監視履歴情報５００を管理装置１０に送信する機能を有する。この送信は、監視結果情報生成部２０２が所定のタイミングで実行するものでも良いし、管理装置１０からの送信要求メッセージを受信したときにこれに応じておこなうものでもよい。
【００２５】
［１．２．管理装置］
図１に戻り、本実施形態にかかる不正行為監視システム１の各構成要素である管理装置１０について説明する。
【００２６】
本発明の記憶手段に相当する管理装置１０は、例えばコンピュータ、ワークステーションなどの情報処理装置によって実現される装置である。この情報処理装置は、演算処理装置（ＣＰＵ）、主メモリ（ＲＡＭ）、読出し専用メモリ（ＲＯＭ）、入出力装置（Ｉ／Ｏ）、及び必要な場合にはハードディスク装置等の外部記憶装置を具備している装置である。
【００２７】
管理装置１０は、各遊技機３０の監視ユニット４０から送信された監視履歴情報５００と、微弱交流印加／監視装置２０から送信される微弱交流監視情報（後述）とを受け取り、これを各遊技機３０の識別情報に関連付けて記憶し、必要に応じて閲覧に供する事が出来るようにする機能を有する。
【００２８】
図６は、管理装置１０の構成例を示す機能ブロック図である。管理装置１０は、監視記録データ生成部６０１と、監視記録データ生成部６０１に接続された監視記録データ記憶部６０２とを有する。監視記録データ生成部６０１は、各監視ユニット４０から監視履歴情報５００を受け取るとともに、微弱交流印加／測定装置２０からの測定結果データを受け取り、これに基づいて監視記録データを生成する。監視記録データとして、前述の監視履歴情報５００又は測定結果データを受信する毎に一つのレコードが生成される。
【００２９】
図７は、監視記録データ生成部６０１によって生成される監視記録データのデータ構成例を示す図である。監視記録データ７００は、遊技機識別情報７０１と、設置店舗情報７０２と、監視結果情報７０３と、微弱電流監視情報７０４と、監視結果情報生成日時７０５とで構成されるデータである。
【００３０】
遊技機識別情報７０１は、遊技機３０を一意に識別する情報であって、例えば遊技機３０のシリアルナンバーである。監視履歴情報５００に含まれる遊技機識別情報５０１と同一であっても良い。
【００３１】
設置店舗情報７０２は、その遊技機３０が設置されている店舗（ホールなど）を特定する情報である。
【００３２】
監視結果情報７０３は、判定部３０１がメインＣＰＵ２０１の入力信号に基づいて判定した結果を示すデータであって、異常や不正の種類、及び異常なしを示す情報（エラーコード、不正行為コードなど）であって、監視履歴情報５００に含まれる監視結果情報５０２と同一であっても良い。
【００３３】
微弱電流監視情報７０４は、微弱交流印加／監視装置２０から送信される、その遊技機３０に供給した微弱交流電流の電流値、電圧値が、予めその遊技機について測定した固有電流値（後述）、固有電圧値（後述）、或いはこれらから求められる固有電力値と比較して異常があるか無いかを示すデータである。
【００３４】
監視結果情報生成日時７０５は、その監視記録情報７００が生成された日時を示す情報である。
【００３５】
図６に戻り、管理装置１０の説明を続ける。監視記録データ記憶部６０２は、監視記録情報７００を蓄積して記憶する機能を有する。ユーザは監視記録データ記憶部６０２に記憶された監視記録情報７００から、任意の遊技機３０の監視記録情報を抽出して、その遊技機３０について不正行為、異常のあるなし、不正行為、異常がある場合にはその発生日時を容易に知ることが出来る。
【００３６】
［１．３．微弱交流印加／測定装置］
次に、本発明の第２の監視手段に相当する微弱交流印加／測定装置２０について説明する。微弱交流印加／測定装置２０は、それぞれの遊技機３０に微弱交流を供給し、その微弱交流の電圧値、電流値を測定し、測定結果が予め測定してあるその遊技機３０についての固有電流値、固有電圧値と一致するか否かを判定し、判定結果を測定結果データとして出力する。微弱交流印加／測定装置２０は主に、開店前、閉店後における遊技機３０の監視を行う。
【００３７】
図８は、微弱交流印加／測定装置２０の構成例を示す機能ブロック図である。微弱交流印加／測定装置２０は、微弱交流印加回路８０１と、電流電圧測定回路８０２と、測定結果データ生成回路８０３と、通信インターフェイス８０４とを有している。
【００３８】
微弱交流印加回路８０１は、所定時間間隔で交流供給先となる遊技機３０を切り替えながら、微弱交流を遊技機３０の電力供給線５０を介して供給する回路である。微弱交流印加回路８０１は、微弱交流を生成する交流電源部と、交流供給先となる遊技機３０を切り替えるためのリレー制御部とで構成されている。
【００３９】
電流電圧測定回路８０２は、微弱交流印加／測定装置２０から供給された交流について電流値、電圧値を測定する。微弱交流印加回路８０１によって交流供給先となる遊技機３０を切り替えながら、電流電圧測定回路８０２が電流値、電圧値を測定するので、各遊技機３０について個別に電流値、電圧値を測定することが出来る。
【００４０】
測定結果データ生成回路８０３は、測定結果が予め測定してあるその遊技機３０についての固有電流値、固有電圧値と一致するか否か、あるいはそれらに対して所定の茣蓙の範囲内であるかを判定し、判定結果を測定結果データとして出力する機能を有する。
【００４１】
遊技機３０を構成する電子部品は規格内であってもその品質、特性についてばらつきがあるものである。そのため、各遊技機３０は、ある一つの交流電源に接続された場合でも、その場合に測定される交流電圧値、電流値、あるいはこれらから算出される消費電力値（固有電圧値、固有電流値、固有消費電力値と呼ぶこととする）はそれぞれ異なる値を示す。遊技機３０を構成する電子部品が交換され、改造された場合には、同一の交流電源に接続された場合この固有電圧値、固有電流値、固有消費電力値とは異なった測定結果となることが、本発明者によって確認されている。
【００４２】
測定結果データ生成回路８０３は、各遊技機３０の固有電圧値、固有電流値、或いは固有消費電力値を予め記憶させられており、刻々実行される電流電圧測定回路の測定結果と各遊技機３０の固有電圧値、固有電流値、固有消費電力値を比較して、各遊技機３０について固有電圧値、固有電流値、固有消費電力値とは異なった測定結果となっているかを判定し、判定結果を測定結果データとして出力する。
【００４３】
図９は、測定結果データのデータ構成例を示す図である。測定結果データ９００は、遊技機識別情報９０１と、電流値情報９０２と、電圧値情報９０３と、消費電力値情報９０４と、判定結果情報９０５と、データ生成日時９０６とで構成される。
【００４４】
遊技機識別情報９０１は、遊技機を一意に識別する情報であって、例えば遊技機のシリアルナンバーである。電流値情報９０２は、電流電圧値測定回路８０２によって測定された電流値を示す情報である。電圧値情報９０３は、電流電圧値測定回路８０２によって測定された電圧値を示す情報である。消費電力値情報９０４は、電流値情報９０２と電圧値情報９０３とから算出される消費電力を示す情報である。判定結果情報９０５は、電流値情報９０２、電圧値情報９０３、或いは消費電力値情報９０４と、固有電流値、固有電圧値、固有消費電力値との比較に基づく異常の有無を示すデータである。データ生成日時９０６は、測定結果データ９００の生成日時を示すデータである。
【００４５】
なお、固有電流値、固有電圧値、固有消費電力値は測定データ生成回路８０３内部或いは外部の記憶装置に格納されている。
【００４６】
通信インターフェイス８０４は、測定結果データ９００を管理装置１０に送信する機能を有する。この送信は、通信インターフェイス８０４が所定のタイミングで実行するものでも良いし、管理装置１０からの送信要求メッセージを受信したときにこれに応じておこなうものでもよい。
【００４７】
［２．監視ユニット、判定部の判定について］
監視ユニット２０２の判定部３０１が不正行為の有無を判定するには、各種信号を値いることを述べたが、以下にその具体例のいくつかを述べる。なお、以下の説明は図4に示した内容に基づいて行った。
【００４８】
Ａ．パチンコ機における不正判定
（１）特別図柄確定１を示す入力信号８と特別図柄確定２を示す入力信号９とのカウント合計数が、始動口入賞１を示す入力信号１２と始動口入賞２を示す入力信号１３とのカウント合計数が常時設定数値以上多くなければならない。この条件に違反した場合には不正行為がなされたと判定される。
（２）特別図柄確定１を示す入力信号８又は特別図柄確定２を示す入力信号９のスタート時刻と、始動口入賞１を示す入力信号１２と始動口入賞２を示す入力信号１３とスタート時刻の時間差が２５０ｍｍｓｅｃ以上でなければならない。この条件に違反した場合には不正行為がなされたと判定される。
（３）賞球を示す入力信号１０と、始動口入賞１を示す入力信号１２又は始動口入賞２を示す入力信号１３が出力された状態で、アウト球を示す入力信号１１が出力されていない。この状態が検出された場合、不正行為がなされたと判定される。
（４）賞球を示す入力信号１０のカウント合計数よりアウト球を示す入力信号１１のカウント合計数が多い。この状態が検出された場合、不正行為がなされたと判定される。
【００４９】
Ｂ．スロットマシンにおける不正判定
（１）ＯＵＴを示す入力信号２，レギュラーボーナスを示す入力信号３，ビックボーナスを示す入力信号４、チャレンジボーナスを示す入力信号５、ミドルボーナスを示す入力信号７がカウントされていない状態で、かつＩＮを示す入力信号１だけが出力された状態で遊技機払い出し装置であるコインホッパーが作動して電流数値が上昇した場合は、不正行為があると判定する。
（２）設定キーの変更を示す入力信号８が営業時間中に出力された場合は、不正行為委があると判定する。
（３）ＩＮを示す入力信号１のパルス幅とＯＵＴを示す入力信号２のパルス幅が所定値より異なった場合は、不正ありと判定する。
【００５０】
［３．固有電流値、固有電圧値、固有消費電力値］
本発明者は、各遊技機３０に不正行為が行われると電流値、電圧値が変化することを検証して確かめた。図１０に検証結果データを掲げる。また、図１１は、本発明者が異なるメーカ、機種の遊技機について、微弱交流を流した場合の測定器の表示画面を示した図である。
【００５１】
図１０，図１１の測定結果が示すとおり、異なるメーカ、機種の遊技機について、通常状態（不正行為のない状態）と、ハーネスケーブルが外された状態（不正行為が行われている状態）の電流値、電圧値を測定した結果、ほぼ全ての機種で電流値、電圧値の差異が見られたことが確認された。
【図面の簡単な説明】
【００５２】
【図１】不正行為監視記録システムの構成例を示すブロック図
【図２】遊技機の本発明に関係する主要な部分を図示した機能ブロック図
【図３】監視ユニットの構成例を示す機能ブロック図
【図４】メインＣＰＵによる各種入力信号の例を示す図
【図５】監視履歴情報のデータ構成例を示す図
【図６】管理装置の構成例を示す機能ブロック図
【図７】監視記録データのデータ構成例を示す図
【図８】微弱交流印加／測定装置の構成例を示す機能ブロック図
【図９】測定結果データのデータ構成例を示す図
【図１０】検証結果データを示す図
【図１１】測定器の表示画面を示す図
【符号の説明】
【００５３】
１      …  不正行為監視記録システム
１０    …  管理装置
２０    …  微弱交流印加／測定装置
３０    …  遊技機
４０    …  監視ユニット
【図１】
2010284370.tif 000003
【図２】
2010284370.tif 000004
【図３】
2010284370.tif 000005
【図４】
2010284370.tif 000006
【図５】
2010284370.tif 000007
【図６】
2010284370.tif 000008
【図７】
2010284370.tif 000009
【図８】
2010284370.tif 000010
【図９】
2010284370.tif 000011
【図１０】
2010284370.tif 000012
【図１１】
2010284370.tif 000013